(57)【要約】【課題】偏光を用いた回転感知可能遠隔制御を容易にするシステムおよび方法を提供すること。【解決手段】回転感知可能遠隔制御システムであって、遠隔制御ユニットであって、異なる偏光を有する複数の赤外線ＬＥＤと、押下げることにより、該遠隔制御ユニットが回転させられたときに、該複数のＬＥＤにＩＲ信号を放出させることが可能な複数のキーとを含む、遠隔制御ユニットと、ＩＲ回転感知可能検出器システムであって、ＩＲ検出器と、該ＩＲ検出器の前に配置された偏光フィルタと、該遠隔制御ユニット上の該複数のＬＥＤの照射のパターンを感知することが可能な論理ユニットであって、該複数のＬＥＤの各々によってなされた寄与を決定し、該遠隔制御ユニットが配置されている相対的な角度を導出する論理ユニットとを含む、ＩＲ回転感知可能検出器システムとを備える、システム。【選択図】図２
2010057184.tif 000002
【特許請求の範囲】
【請求項１】
回転感知可能遠隔制御システムであって、
遠隔制御ユニットであって、
異なる偏光を有する複数の赤外線ＬＥＤと、
押下げることにより、該遠隔制御ユニットが回転させられたときに、該複数のＬＥＤにＩＲ信号を放出させることが可能な複数のキーと
を含む、遠隔制御ユニットと、
ＩＲ回転感知可能検出器システムであって、
ＩＲ検出器と、
該ＩＲ検出器の前に配置された偏光フィルタと、
該遠隔制御ユニット上の該複数のＬＥＤの照射のパターンを感知することが可能な論理ユニットであって、該複数のＬＥＤの各々によってなされた寄与を決定し、該遠隔制御ユニットが配置されている相対的な角度を導出する論理ユニットと
を含む、ＩＲ回転感知可能検出器システムと
を備える、システム。
【請求項２】
前記論理ユニットは、前記ＩＲ検出器に接続されたプレアンプと、該プレアンプに接続されたプロセッサとを含む、請求項１に記載のシステム。
【請求項３】
前記遠隔制御ユニットは、前記複数のＬＥＤの固有の部分集合のシーケンスを有する照射のパターンから構成されている伝送されるＩＲ信号に適合されており、該パターンから該複数のＬＥＤの各々の寄与が抽出されることが可能である、請求項１に記載のシステム。
【請求項４】
回転感知可能遠隔制御システムを含むテレビシステムであって、
ディスプレイスクリーンと、
オンスクリーンディスプレイコントローラと、
遠隔制御ユニットであって、
複数の赤外線ＬＥＤであって、該複数の赤外線ＬＥＤの偏光は互いに異なる、複数の赤外線ＬＥＤと、
押下げることにより、該遠隔制御ユニットが回転させられたときに、該複数のＬＥＤにＩＲ信号を放出させることが可能な複数のキーと
を含む、遠隔制御ユニットと、
該オンスクリーンディスプレイコントローラに接続された制御システムであって、該制御システムは、ＩＲ回転感知可能検出器システムを含み、該ＩＲ回転感知可能検出器システムは、
ＩＲ検出器と、
該ＩＲ検出器の前に配置された偏光フィルタと、
該遠隔制御ユニット上の該複数のＬＥＤの照射のパターンを感知することが可能な論理ユニットであって、該複数のＬＥＤの各々によってなされた寄与を決定し、該遠隔制御ユニットが配置されている相対的な角度を導出する論理ユニットと
を含む、制御システムと
を備え、
該制御システムは、該スクリーン上に表示可能なグラフィカルユーザインターフェースシステムを含む、システム。
【請求項５】
前記論理ユニットは、前記ＩＲ検出器に接続されたプレアンプと、該プレアンプに接続されたプロセッサとを含む、請求項４に記載のシステム。
【請求項６】
前記遠隔制御ユニットは、前記複数のＬＥＤの固有の部分集合のシーケンスを有する照射のパターンから構成されている伝送されるＩＲ信号に適合されており、該パターンから該複数のＬＥＤの各々の寄与が抽出されることが可能である、請求項４に記載のシステム。
【請求項７】
前記制御システムは、前記遠隔制御ユニットの導出された位置を用いることにより、前記グラフィカルユーザインターフェース内のユーザのナビゲーション、選択または調整を導出および表示するように適合されている、請求項４に記載のシステム。
【請求項８】
テレビを制御するプロセスであって、
遠隔制御ユニット上の複数のＬＥＤの照射のパターンを感知するステップと、
該複数のＬＥＤの各々によってなされた寄与を決定するステップと、
該遠隔制御ユニットが配置されている相対的な角度を導出するステップと
を含む、プロセス。
【請求項９】
前記複数のＬＥＤに対応する固有の部分集合のシーケンスを有する照射のパターンから構成されているＩＲ信号を伝送するステップであって、該パターンから該複数のＬＥＤの各々の寄与が抽出されることが可能であるステップ
をさらに含む、請求項８に記載のプロセス。
【請求項１０】
偏光フィルタを伴うＩＲ検出器によって感知される前記ＩＲ信号をフィルタリングするステップ
をさらに含む、請求項９に記載のプロセス。
【請求項１１】
前記検出器によって出力される電圧を前記複数のＬＥＤに対応する複数の信号に変換するステップ
をさらに含む、請求項１０に記載のプロセス。
【請求項１２】
前記複数の信号の直角位相関係を回転値に変換するステップ
をさらに含む、請求項１１に記載のプロセス。
【請求項１３】
前記回転値に応じてユーザインターフェースをナビゲートするステップ
をさらに含む、請求項１２に記載のプロセス。
【発明の詳細な説明】
【技術分野】
【０００１】
（分野）
本明細書中に記載されている実施形態は、概して、テレビの遠隔制御に関し、より詳細には、偏光を用いた回転感知可能遠隔制御を容易にするシステムおよび方法に関する。
【背景技術】
【０００２】
（背景情報）
テレビおよびその他のコンポーネントの性能が増大するにつれて、それらの遠隔制御ユニットの性能および複雑性も増大してきた。テレビおよび関連するオーディオビデオデバイスの特徴または性能の数の増大に適応するために、または、それらを制御するために、より多くの特徴すなわちユーザインターフェース専用のボタンまたはキーが遠隔制御ユニットに追加されてきた。
【発明の概要】
【発明が解決しようとする課題】
【０００３】
そのような遠隔制御に関し、プッシュボタンは、実装するためのコストが最も低いタイプの制御である。結果として、しばしばプッシュボタンは、本来の意味でのオンオフではない機能、例えばチャンネルアップ／チャンネルダウンまたは音量アップ／音量ダウン等を操作するために用いられる。従来技術では、そのような機能は、回転可能なダイヤルまたはノブを用いて実装されていた。これらは、より直観的であり、操作がより容易であるが、より高価で信頼性が低い。デジタル遠隔装置上の同様の種類の「アナログ」制御機構を提供し、それと同時に、上記の不利を排除することが望ましい。
【課題を解決するための手段】
【０００４】
（概要）
本明細書中に提供される実施形態は、偏光を用いたテレビ等の回転感知可能遠隔制御に関する。より詳細には、本明細書中に記載されている実施形態に提供されているように、テレビは、グラフィカルユーザインターフェースを介してユーザによってナビゲート可能なメニューベースの制御システムを含み、ユーザは、回転感知可能遠隔制御を用いて迅速かつ容易にナビゲートすることが可能である。好適な実施形態において、テレビの遠隔制御ユニットと赤外線（ＩＲ）信号検出システムとは、遠隔制御ユニットの長手軸のまわりでの該遠隔制御ユニットの回転を感知することが可能である。遠隔制御ユニット上のキーまたはボタンの押し下げにしたがう遠隔制御ユニットの回転は、テレビスクリーン上に表示されたユーザインターフェースに表示されるオプションのリストを介する機能強化されたより迅速なナビゲーション、または、連続的に変動する設定の調整（例えば、単一動作での音量のアップまたはダウン等）を可能にする。特に、音量をダウンさせるために、ユーザは、遠隔制御ユニットをテレビに向け、音量キーを押し（ｈｏｌｄ）、該遠隔制御ユニットを反時計回りにツイストさせる。そしてユーザは、音量が所望のレベルに到達したときに、音量キーを中断および／または解放する。
【０００５】
好適な実施形態においては、テレビのＩＲ信号検出器または受信器の前に偏光フィルタが置かれ、遠隔制御は、偏光が９０度離されている２つのＩＲ信号発光ダイオード（ＬＥＤ）を含む。好適な実施形態は、これらのＬＥＤから放出される光の自然偏光の利点を活用し、従来のＩＲ伝送プロトコルの新規な変形例を利用し、２つのＬＥＤは、受信された全体の光のうちのどの程度がＬＥＤの各々によって寄与されたかを、検出器が区別することを可能にするパターンにしたがって、別々に照射される。各ＬＥＤからの光は、ＬＥＤと検出器との間の偏光方向における差にしたがって減衰されるので、検出器は、検出器に対する遠隔制御装置が保持されている角度を見分けることが可能である。
【０００６】
例示的な実施形態のその他のシステム、方法、特徴および利点は、以下の図面と詳細な説明とを検討すれば、当業者には明らかであろう。
【０００７】
本発明は、さらに以下の手段を提供する。
（項目１）  
回転感知可能遠隔制御システムであって、
遠隔制御ユニットであって、
異なる偏光を有する複数の赤外線ＬＥＤと、
押下げることにより、該遠隔制御ユニットが回転させられたときに、該複数のＬＥＤにＩＲ信号を放出させることが可能な複数のキーと
を含む、遠隔制御ユニットと、
ＩＲ回転感知可能検出器システムであって、
ＩＲ検出器と、
該ＩＲ検出器の前に配置された偏光フィルタと、
該遠隔制御ユニット上の該複数のＬＥＤの照射のパターンを感知することが可能な論理ユニットであって、該複数のＬＥＤの各々によってなされた寄与を決定し、該遠隔制御ユニットが配置されている相対的な角度を導出する論理ユニットと
を含む、ＩＲ回転感知可能検出器システムと
を備える、システム。
（項目２）  
前記論理ユニットは、前記ＩＲ検出器に接続されたプレアンプと、該プレアンプに接続されたプロセッサとを含む、上記項目のいずれか一項に記載のシステム。
（項目３）  
前記遠隔制御ユニットは、前記複数のＬＥＤの固有の部分集合のシーケンスを有する照射のパターンから構成されている伝送されるＩＲ信号に適合されており、該パターンから該複数のＬＥＤの各々の寄与が抽出されることが可能である、上記項目のいずれか一項に記載のシステム。
（項目４）  
回転感知可能遠隔制御システムを含むテレビシステムであって、
ディスプレイスクリーンと、
オンスクリーンディスプレイコントローラと、
遠隔制御ユニットであって、
複数の赤外線ＬＥＤであって、該複数の赤外線ＬＥＤの偏光は互いに異なる、複数の赤外線ＬＥＤと、
押下げることにより、該遠隔制御ユニットが回転させられたときに、該複数のＬＥＤにＩＲ信号を放出させることが可能な複数のキーと
を含む、遠隔制御ユニットと、
該オンスクリーンディスプレイコントローラに接続された制御システムであって、該制御システムは、ＩＲ回転感知可能検出器システムを含み、該ＩＲ回転感知可能検出器システムは、
ＩＲ検出器と、
該ＩＲ検出器の前に配置された偏光フィルタと、
該遠隔制御ユニット上の該複数のＬＥＤの照射のパターンを感知することが可能な論理ユニットであって、該複数のＬＥＤの各々によってなされた寄与を決定し、該遠隔制御ユニットが配置されている相対的な角度を導出する論理ユニットと
を含む、制御システムと
を備え、
該制御システムは、該スクリーン上に表示可能なグラフィカルユーザインターフェースシステムを含む、システム。
（項目５）  
前記論理ユニットは、前記ＩＲ検出器に接続されたプレアンプと、該プレアンプに接続されたプロセッサとを含む、上記項目のいずれか一項に記載のシステム。
（項目６）  
前記遠隔制御ユニットは、前記複数のＬＥＤの固有の部分集合のシーケンスを有する照射のパターンから構成されている伝送されるＩＲ信号に適合されており、該パターンから該複数のＬＥＤの各々の寄与が抽出されることが可能である、上記項目のいずれか一項に記載のシステム。
（項目７）  
前記制御システムは、前記遠隔制御ユニットの導出された位置を用いることにより、前記グラフィカルユーザインターフェース内のユーザのナビゲーション、選択または調整を導出および表示するように適合されている、上記項目のいずれか一項に記載のシステム。
（項目８）  
テレビを制御するプロセスであって、
遠隔制御ユニット上の複数のＬＥＤの照射のパターンを感知するステップと、
該複数のＬＥＤの各々によってなされた寄与を決定するステップと、
該遠隔制御ユニットが配置されている相対的な角度を導出するステップと
を含む、プロセス。
（項目９）  
前記複数のＬＥＤに対応する固有の部分集合のシーケンスを有する照射のパターンから構成されているＩＲ信号を伝送するステップであって、該パターンから該複数のＬＥＤの各々の寄与が抽出されることが可能であるステップ
をさらに含む、上記項目のいずれか一項に記載のプロセス。
（項目１０）  
偏光フィルタを伴うＩＲ検出器によって感知される前記ＩＲ信号をフィルタリングするステップ
をさらに含む、上記項目のいずれか一項に記載のプロセス。
（項目１１）  
前記検出器によって出力される電圧を前記複数のＬＥＤに対応する複数の信号に変換するステップ
をさらに含む、上記項目のいずれか一項に記載のプロセス。
（項目１２）  
前記複数の信号の直角位相関係を回転値に変換するステップ
をさらに含む、上記項目のいずれか一項に記載のプロセス。
（項目１３）  
前記回転値に応じてユーザインターフェースをナビゲートするステップ
をさらに含む、上記項目のいずれか一項に記載のプロセス。
【０００８】
（摘要）
偏光を用いるテレビ等の回転感知可能遠隔制御を容易にするシステムおよび方法。テレビの遠隔制御ユニットと赤外線（ＩＲ）信号検出システムとは、好適には、遠隔制御ユニットの長手軸のまわりでの該遠隔制御ユニットの回転を感知可能である。遠隔制御ユニット上のキーまたはボタンの押し下げにしたがう遠隔制御ユニットの回転は、テレビスクリーン上に表示されたユーザインターフェースに表示されるオプションのリストを介する機能強化されたより迅速なナビゲーション（例えば、単一動作での音量のアップまたはダウン等）を可能にする。
【図面の簡単な説明】
【０００９】
製造、構造および操作を含む、例示的な実施形態の詳細は、添付の図面を検討することによりその一部が理解されよう。添付の図面において、同様の参照番号は、同様のパーツを示している。図中のコンポーネントは、必ずしも一定の比率で拡大縮小されておらず、その代わりに、本発明の原理を図示するために強調されている。さらに全ての図は、概念を伝えることを意図されているが、相対的なサイズ、形状およびその他の詳細な属性は、文言どおりまたは正確というよりむしろ、概略的に図示されていることがある。
【図１】図１は、テレビおよび制御システムの概略図である。
【図２】図２は、遠隔制御ユニットの概略斜視図である。
【図３】図３は、遠隔装置の角度を導出する検出器および後続の処理装置の概略図である。
【図４】図４は、遠隔制御ユニットが回転するときに検出器システムによって検出された、遠隔制御装置のＬＥＤのうちの１つから放出されたＩＲ信号の信号強度のグラフィック表現である。
【図５】図５は、遠隔制御ユニットが回転するときに検出器システムによって検出された、遠隔制御装置のＬＥＤから放出されたＩＲ信号の信号強度のグラフィック表現である。
【図６】図６Ａ、図６Ｂおよび図６Ｃは、遠隔制御ユニットが４５°の角度で向けられている状態で検出器システムによって検出された、遠隔制御装置のＬＥＤから放出された信号パルスのグラフィック表現である。
【００１０】
図示のために、複数の図面を通して、同様の構造または機能の要素が、概して、同じ参照番号によって表されていることに留意されたい。図面は、好適な実施形態の記載を容易にすることのみが意図されていることにも留意されたい。
【発明を実施するための形態】
【００１１】
（詳細な説明）
本明細書中に記載されているシステムおよび方法は、偏光を用いたテレビ等の回転感知可能遠隔制御に関する。より詳細には、本明細書中に記載されている実施形態において提供されるとき、テレビは、グラフィカルユーザインターフェースを介してユーザによってナビゲートすることが可能なメニューベースの制御システムを含み、ユーザは、回転感知可能遠隔制御装置を用いて迅速かつ容易にナビゲートすることが可能である。以下により詳細に議論されるように、テレビの遠隔制御ユニットと赤外線（ＩＲ）信号検出システムとは、遠隔制御ユニットの長手軸のまわりでの該遠隔制御ユニットの回転を感知することが可能である。遠隔制御ユニット上のキーまたはボタンの押し下げにしたがう遠隔制御ユニットの回転は、テレビスクリーン上に表示されたユーザインターフェースに表示されるオプションのリストを介する機能強化されたより迅速なナビゲーション（例えば、単一動作での音量のアップまたはダウン等）を可能にする。特に、音量をダウンさせるために、例えばユーザは、遠隔制御ユニットをテレビに向け、音量キーを押し、該遠隔制御ユニットを反時計回りにツイストさせる。そしてユーザは、音量が所望のレベルに到達したときに、音量キーを解放する。
【００１２】
好適な実施形態において、テレビのＩＲ信号検出器または受信器の前に偏光フィルタが置かれ、遠隔制御は、偏光が９０度離されている２つのＩＲ信号を発する発光ダイオード（ＬＥＤ）を含む。好適な実施形態は、これらのＬＥＤから放出される光の自然偏光の利点を活用し、従来のＩＲ伝送プロトコルの新規な変形例を利用し、２つのＬＥＤは、異なるシーケンスにしたがって別々に照射される。
【００１３】
ここで図面に移ると、図１は、テレビ１０の実施形態の概略図を示す。テレビ１０は、好適には、ビデオディスプレイスクリーン１８と、ＩＲ信号受信器または検出システム３０とを含み、該ＩＲ信号受信器または検出システム３０は、制御システム１２に接続されており、遠隔制御ユニット４０から受信されたＩＲ信号を受信、検出および処理するように適合されている。制御システム１２は、好適には、マイクロプロセッサ２０と、システムソフトウェアが格納される不揮発性メモリ２２と、マイクロプロセッサ２０に接続されたオンスクリーンディスプレイ（ＯＳＤ）コントローラ１４と、ＯＳＤコントローラ１４およびディスプレイスクリーン１８に接続された画像ディスプレイエンジン１６とを含む。システムソフトウェアは、好適には、テレビ１０の設定、操作および制御を可能にするマイクロプロセッサ２０上で実行可能な一連の命令を含む。システムソフトウェアは、テレビディスプレイ１８上でユーザに表示または提供されるグラフィカルユーザインターフェースを介してユーザによってナビゲートすることが可能なメニューベースの制御システムを提供する。テレビの遠隔制御ユニット４０のテレビ層上にある間に、ユーザは、グラフィカルユーザインターフェースを、テレビ１０および該テレビ１０に接続された外部のＡ−Ｖ入力デバイス（例えば、ＤＶＤ、ＶＣＲ、ケーブルボックス等）を設定、操作および制御するようにナビゲートすることが可能である。グラフィカルユーザインターフェースベースのメニューシステムとその操作の詳細な議論は、米国特許出願公開第２００２−０１７１６２４  Ａ１号に提供されており、該米国特許出願は、参照により本明細書中に援用される。該６２４出願は、メニューベースの制御システムと、グラフィカルユーザインターフェースと共にメニューベースの制御システムを用いて制御される、テレビに接続されたオーディオビデオコンポーネントの中央集約的な制御に関する操作とを記載している。
【００１４】
図２に移ると、遠隔制御ユニット４０は、遠隔制御ユニット４０の前端部に配置された第１および第２のまたは右および左のＬＥＤ４２および４３を含むように示されている。ＬＥＤ４２および４３は、自然偏光され、それらの偏光が９０度離されているように配置され、本図中では概念形成を目的としてＬＥＤ４２および４３の前に配置された２つの偏光フィルタ４４および４５として図示されている。
【００１５】
図３は、図１に示されているテレビ１０のＩＲ信号検出器または受信器システム３０を示している。システム３０は、プレアンプ３６を含む論理ユニットに接続されたＩＲ検出器３４の前に配置された偏光フィルタ３２を含み、該プレアンプ３６は、プロセッサ３８に接続されている。プレアンプ３６は、予測可能な間隔でＩＲメッセージ全体にわたる照射のパターンを感知するように適合されており、該予測可能な間隔の間に、右ＬＥＤ４２のみまたは左ＬＥＤ４３のみが照射される。プレアンプ３６は、これらの時間に検出器３４からの電圧を感知し、応答して、２つのデジタル信号３５および３７を生成する。これらの２つの信号３５および３７の直角位相関係は、好適には、プロセッサ３８上で実行しているソフトウェアによって瞬間回転値（ｉｎｓｔａｎｔａｎｅｏｕｓ  ｒｏｔａｔｉｏｎ  ｖａｌｕｅ）に変換され、該瞬間回転値は、テレビのパラメータまたは特徴（例えば、音量またはチャンネル）を調整または変化させるために制御システム１２によって用いられ得、取られるアクション（例えば、音量のアップまたはダウンあるいはチャンネルの変更）のグラフィック表現を提供するためにシステムソフトウェアのユーザインターフェースモジュールによって用いられ得る。あるいは、ソフトウェアを伴う（または伴わない）ＡＳＩＣ、集積回路またはそれらの組み合わせの形態のその他の論理が、２つの信号３６および３７の直角位相関係を変換するように構成され得る。
【００１６】
回転は連続的な傾向があるので、プロセッサ３８は、デジタル化された直角位相値のために、Ｋａｌｍａｎフィルタまたはその他の同様の処理装置を組み込み得る。このことは、角度値の比較的良好な評価を可能にし得、それと同時に、プレアンプ３６からの光信号の低解像度のＡ／Ｄサンプリングを可能にし得る。
【００１７】
好適な遠隔制御ＩＲ信号伝送プロトコルにおいて、メッセージは、３つの異なる位相で送信される。
【００１８】
【表１】
2010057184.tif 000003
【００１９】
従来の遠隔制御システムの一例において、遠隔メッセージは、持続時間１６０ミリ秒で２０ビットを含有している、すなわち、１ビット当たり８ミリ秒である。その８ミリ秒の間に、１のビット値は、６ミリ秒の「オン」と２ミリ秒の「オフ」とによって表される。０のビット値は、３ミリ秒の「オン」と５ミリ秒の「オフ」とによって表される。「オン」および「オフ」状態は、例えば３０キロヘルツのレートのＩＲパルスの搬送信号を変調する。結果として本例において、１のビット値は、２ミリ秒の搬送パルスなしが後続する３０×６＝１８０の搬送パルスとして伝送される。０は、５ミリ秒の搬送パルスなしが後続する９０の搬送パルスとして伝送される。検出器はパルス間の休止状態に対して搬送パルスの大きさを比較することが可能なので、検出器にとって、部屋内の幅広く変動するＩＲ発光条件のもとで搬送パルスを見分けることが容易になる。従来の遠隔装置において、上述のようなメッセージは、ボタンが押下げられている間に反復的に生成される。メッセージのビットは、遠隔装置の押されているボタンおよびその他の状態情報とを識別する。
【００２０】
本明細書中に提供されている実施形態において、各ビット時間は、好適には、上表におけるパターンの数回の反復に分離される。右ＬＥＤ４２、左ＬＥＤ４３のいずれか一方、または、ＬＥＤ４２および４３の両方が、このパターンの１つめの１／３、２つめの１／３または３つめの１／３の間に発光または電力供給される。
【００２１】
上述の例を拡張するために、１．５ミリ秒の持続時間が上述のパターンの反復に割り当てられる。したがって、３つの位相の各々は、０．５ミリ秒を所要する。
【００２２】
したがって、０のビット値を作るためには：
第１に、右ＬＥＤ４２と左ＬＥＤ４３との両方が、一緒に３０×０．５＝１５の搬送パルスを作る。
次に、左ＬＥＤ４３のみが、次の１５の搬送パルスを作る。
次に、右ＬＥＤ４２のみが、次の１５の搬送パルスを作る。
次に、右ＬＥＤ４２と左ＬＥＤ４３の両方が、再び次の１５のパルスを作る。
次に、左ＬＥＤ４３のみが、次の１５の搬送パルスを作る。
次に、右ＬＥＤ４２のみが、次の１５の搬送パルスを作る。
合計で、３ミリ秒が経過される。
そして、５ミリ秒の間には搬送パルスがない。
合計で、８ミリ秒すなわちメッセージの１ビット時間が経過される。
【００２３】
１のビット値を作るためには、パターンは、合計６ミリ秒または１８０の搬送パルスに対して、２回ではなく４回反復される。そして、上述のように、２ミリ秒の間オフとなる。合計で、８ミリ秒すなわち１ビット時間が経過される。
【００２４】
これらの時間の間に、検出器３４とプレアンプ３６とは、搬送パルスの強度をサンプリングし、それらをカウントすることにより、位相を決定し、そしてこの決定から、どのＬＥＤが位相に寄与したかを学習する。検出器システム３０は、上述の位相関係を知っており、第１および第２のＬＥＤ４２および４３から受信された光の寄与を解析することが可能である。メッセージは、ボタンが押下げられている間に送信され、ボタンが解放されたときに中断される。したがって、当業者は、このメッセージプロトコルが、任意のボタンが押下げられている任意の時刻における遠隔装置の回転角とボタンの識別との両方を識別することを認識するであろう。
【００２５】
図４に移ると、遠隔制御ユニット４０の向きに応じた、第２または左のＬＥＤ４３が発光または電力供給されたときの、検出器システム３０によって感知される光の量の理論上の包絡線である。検出器システムフィルタ３２が例えば６０°に向けられる場合であって、そしてこの例の目的のために左ＬＥＤ４３の自然偏光の向きが０°である場合に、検出器３４は、遠隔制御ユニット４０が６０°または２４０°の角度のときには常に、光の最大量を感知し得（偏光フィルタの列によって表されている）、その光は、左ＬＥＤ４３が発光または電力供給されるときに、左ＬＥＤ４３から検出器が受信するものである。この相対的な強度は、線１００によって示されている。遠隔装置が約１５０°または３３０°に回転されるときに、検出器は、左ＬＥＤ４３が発光または電力供給されるときに、左ＬＥＤ４３から検出器が受信する光の最小量を観察し得る。
【００２６】
図５は、同じグラフ上に重ね合わされている、右および左のＬＥＤ４２および４３の両方から受信される光の量を示している。この議論の目的のために、右および左のＬＥＤ４２および４３の自然偏光は、それぞれ９０°および０°である。ＬＥＤ４３の相対的な強度は、線１００によって示されており、ＬＥＤ４２の相対的な強度は、線１０１によって表されている。検出器システム３０は、２つのＬＥＤ４２および４３の互いに対する近似値を得ることが可能であるならば、以下に記載されるように、遠隔制御ユニット４０の現在の回転を導出することが可能である。人間の手首の限界が理由で、この範囲のうち約１００°のみが利用可能であり、全体の３６０°は完全性のために示されている。加えて、この限界が理由で、１８０°分離した角度の多義性は、実際の状況においては問題にならない。
【００２７】
図６Ａ、図６Ｂ、図６Ｃは、検出器３４において観察される光の寄与を分析したものであり、検出器のフィルタ３２に対する遠隔制御の角度を考慮している。図６Ａは、遠隔制御ユニットが基準位置から４５°に保持されているときに、検出器３４によって観察される信号を示している。この地点で、左ＬＥＤ４３から放出された偏光のほとんどは、検出器３４において観察可能であり得る。これは、陰影なしのボックスによって表されている。左ＬＥＤ４２の光の僅かな量のみが、検出器３４において観察可能であり得、グレーの陰影付きのボックスによって表されている。位相１の間に、検出器は、右ＬＥＤ４２と左ＬＥＤ４３との合計を観察し、この強度を基準として用い得る。
【００２８】
図６Ｂは、図６Ａに示されている全体の光信号に対するＬＥＤ４３の寄与のみを示している。位相１および２の間に、ＬＥＤ４３はオンであり、その光のほとんどが観察可能である。
【００２９】
図６Ｃは、検出器３４において観察可能な光に対する右ＬＥＤ４２の寄与のみを示している。これの自然偏光は９０°なので、遠隔装置が４５°に保持される場合に、その光の偏光は、検出器システム３０の偏光フィルタ３２とほとんど交差する。その光のうちの僅かな光のみが、検出器３４によって観察可能である。したがって、第１のＬＥＤ４２は、位相１の間に全体の光に対して僅かに寄与し、位相３の間に僅かな光を提供する。
【００３０】
検出器３４が、位相１の間に、該検出器３４が観察する光の量および搬送パルス間の時間の間の量を基準として用いる場合に、該検出器３４は、その後の位相の間の右および左ＬＥＤ４２および４３の相対的な寄与の評価を獲得し、そして、遠隔制御ユニット３２の長手軸に対する該遠隔制御ユニット３２の現在の回転または角度の向きを導出することが可能である。その後、この情報は、テレビの特徴またはパラメータ（例えば、音量のアップまたはダウン、または、チャンネルの変更、または、グラフィカルユーザインターフェース内の選択を介する移動）を変更または調整するために、制御システム１２によって用いられる。この情報はまた、スクリーン１８上に表示されたＵＩを介するユーザのナビゲーションと該システムの特徴またはパラメータの調整とをグラフィカルに表示するために、ＵＩソフトウェアモジュールによって用いられる。
【００３１】
当業者は、テレビを伴うサラウンドサウンドシステム（ＡＶＲ機能を担い、一体型のサラウンドサウンドデコーダと、サウンドプロジェクタ、電力増幅器または別の外部スピーカに対する無線送信器のうちのいずれかとを含む）におけるオーディオレベルと遅延との自動設定のために、このプロセスが用いられ得ることを容易に理解するであろう。
【００３２】
上述の明細書では、本発明は、その特定の実施形態に関連して記載されてきた。しかしながら、本発明の広い趣旨および範囲から逸脱することなしに、これらの実施形態に対する様々な改変および変更がなされ得ることは明らかであろう。例えば、読者は、特に断りがない限り、明細書中に記載されているプロセス流れ図に示されているプロセス動作の特定の順序および組み合わせは単なる例示に過ぎず、本発明は、異なるまたは追加的なプロセス動作、または、プロセス動作の異なる組み合わせまたは順序を用いて実行され得ることを理解し得る。別の例として、一実施形態の各特徴は、その他の実施形態に示されているその他の特徴と混合または調和され得る。当業者に公知な特徴およびプロセスが、必要に応じて同様に組み込まれ得る。加えて、または、明らかに、必要に応じて、特徴が追加または削除され得る。したがって、本発明は、添付の請求項とそれらの均等物との考慮を除いては限定されない。
【符号の説明】
【００３３】
１０  テレビ
１２  制御システム
１４  オンスクリーンディスプレイ（ＯＳＤ）コントローラ
１６  画像ディスプレイエンジン
１８  ビデオディスプレイスクリーン
２０  マイクロプロセッサ
２２  不揮発性メモリ
３０  検出システム
４０  遠隔制御ユニット
４２、４３  ＬＥＤ
４４、４５  偏光フィルタ
【図１】
2010057184.tif 000004
【図２】
2010057184.tif 000005
【図３】
2010057184.tif 000006
【図４】
2010057184.tif 000007
【図５】
2010057184.tif 000008
【図６】
2010057184.tif 000009